(57)【要約】【課題】使用済みか未使用かが容易に判断可能なタンポン包装構造を提供すること。【解決手段】本発明のタンポン包装構造２０は、吸収体２２と、膣内への挿入方向における前記吸収体の末端から延出する紐状部材２２Ｂを有する生理用のタンポン２２と、前記タンポンを収納する凸部２８が形成されている第１シート部材２６、及び、前記第１シート部材２６における前記凸部２８が突出した側と反対側面に貼着されている第２シート部材２７を有するブリスター容器２３と、を備える。前記ブリスター容器２３は、一端において第１シート部材２６と前記第２シート部材２７が離間している領域を備え、前記凸部には前記吸収体が配置され、前記紐状部材は、前記第１シート部材２６と前記第２シート部材２７とが貼着している領域を通って、前記離間している領域まで延びていること、を特徴とする。【選択図】図１
2014128429.tif 000002
【特許請求の範囲】
【請求項１】
吸収体と、膣内への挿入方向における前記吸収体の末端から延出する紐状部材とを有する生理用のタンポンと、
前記タンポンを収納する凸部が形成されている第１シート部材、及び、前記第１シート部材における前記凸部が突出した側と反対側面に貼着されている第２シート部材を有するブリスター容器と、を備え、
前記ブリスター容器は、一端において第１シート部材と前記第２シート部材が離間している領域を有し、
前記凸部には前記吸収体が配置され、前記紐状部材は、前記第１シート部材と前記第２シート部材とが貼着している領域を通って、前記離間している領域まで延びていること、
を特徴とするタンポン包装構造。
【請求項２】
吸収体と、膣内への挿入方向における前記吸収体の末端から延出する紐状部材とを有する生理用のタンポンと、
前記タンポンを収納する凸部が形成されている第１シート部材、及び、前記第１シート部材における前記凸部が突出した側と反対側面に貼着されている第２シート部材を有するブリスター容器と、を備え、
前記ブリスター容器の他端に、携帯用の紐を通すための貫通穴が設けられていること、
を特徴とするタンポン包装構造。
【請求項３】
前記タンポンは、吸収体が内部に収納される外筒と、前記外筒内に挿入されることにより、前記外筒内の前記吸収体を前記外筒外へ押し出す内筒とを有し、前記外筒の一端には、前記吸収体が押し出される開口が形成されたアプリケータに収納されていること、
を特徴とする請求項１または２に記載のタンポン包装構造。
【請求項４】
前記ブリスター容器の角部は、面取りがされていること、
を特徴とする請求項１から３のいずれか１項に記載のタンポン包装構造。
【請求項５】
前記第１シート部材と前記第２シート部材とは、不透明部材で製造されていること、
を特徴とする請求項１から４のいずれか１項に記載のタンポン包装構造。
【発明の詳細な説明】
【技術分野】
【０００１】
本発明は、タンポン包装構造に関する。
【背景技術】
【０００２】
従来、生理中の女性が膣腔内に挿入して使用する吸収性物品として、体液等を吸収する円筒状の吸収体と、この吸収体の一端に設けられる紐と、を備える、いわゆる生理用タンポン（以下、タンポンともいう）が広く知られている。
このようなタンポンにおいて、タンポンの挿入補助具であるアプリケータの内部に収納されているものがあり、この場合、アプリケータを用いて吸収体を体内に挿入する。アプリケータ付きのタンポンは、吸収体が収納されたアプリケータを膣腔内の所定の位置まで挿入し、アプリケータから吸収体を押出すことにより、吸収体をより確実に膣腔奥部へ挿入することを可能としている。
また、タンポンは、使用時まで清潔に保管されることが求められるため、タンポンの大きさよりも若干大きい袋体に個別に包装された個包装体として市販されている。
【０００３】
このようなタンポンの個包装体として、本出願人は、先にアプリケータ付きのタンポンと、該タンポンを個別に封入する袋体とを備え、該袋体の所定位置に切り取り用のミシン目伏線が設けられているタンポンの個包装体を提案した（特許文献１参照）。
特許文献１記載のタンポンの個包装体によれば、使用時に、容易に且つミシン目伏線の設けられた特定の位置において袋体を開封できるため、ミシン目伏線を設ける位置を適宜調整することにより、使用者の手がタンポンに直接触れる機会が少なくなり、タンポンの衛生的な使用が可能となっている。
【先行技術文献】
【特許文献】
【０００４】
【特許文献１】実開昭６２−１８１２８号公報
【発明の概要】
【発明が解決しようとする課題】
【０００５】
しかし、アプリケータ付きタンポンの使用者は、タンポンを挿入した後、一度開封して吸収体を取り出したアプリケータを個包装に戻して、再びカートンの中に戻してしまうことがある。
そして、次の使用時に、その中身なしのアプリケータの入ったタンポンを取り出したときに、一度使用したタンポンにもかかわらず中に吸収体が入っていないと勘違いしてしまう場合がある。
【０００６】
本発明は、使用済みか未使用かが容易に判断可能なタンポン包装構造を提供することを目的とする。
【課題を解決するための手段】
【０００７】
本発明は、吸収体と、膣内への挿入方向における前記吸収体の末端から延出する紐状部材とを有する生理用のタンポンと、前記タンポンを収納する凸部が形成されている第１シート部材、及び、前記第１シート部材における前記凸部が突出した側と反対側面に貼着されている第２シート部材を有するブリスター容器と、を備え、前記ブリスター容器は、一端において第１シート部材と前記第２シート部材が離間している領域を有し、前記凸部には前記吸収体が配置され、前記紐状部材は、前記第１シート部材と前記第２シート部材とが貼着している領域を通って、前記離間している領域まで延びていること、を特徴とするタンポン包装構造に関する。
【０００８】
また、本発明は、吸収体と、膣内への挿入方向における前記吸収体の末端から延出する紐状部材とを有する生理用のタンポンと、前記タンポンを収納する凸部が形成されている第１シート部材、及び、前記第１シート部材における前記凸部が突出した側と反対側面に貼着されている第２シート部材を有するブリスター容器と、を備え、前記ブリスター容器の他端に、携帯用の紐を通すための貫通穴が設けられていること、を特徴とするタンポン包装構造に関する。
【０００９】
前記タンポンは吸収体が内部に収納される外筒と、前記外筒内に挿入されることにより、前記外筒内の前記吸収体を前記外筒外へ押し出す内筒とを有し、前記外筒の一端には、前記吸収体が押し出される開口が形成されたアプリケータに収納されていてもよい。
【００１０】
前記ブリスター容器の角部は、面取りがされていることが好ましい。
【００１１】
前記第１シート部材と前記第２シート部材とは、不透明部材で製造されていることが好ましい。
【発明の効果】
【００１２】
本発明によれば、使用済みか未使用かが容易に判断可能なタンポン包装構造を提供することができる。
【図面の簡単な説明】
【００１３】
【図１】本実施形態のタンポン包装構造の斜視図である。
【図２】アプリケータ付タンポンが収納されたタンポン包装構造の部分断面図である。
【図３】タンポン包装構造の裏面を示した図である。
【図４】アプリケータ付タンポンのブリスター容器からの取り出し方法を示したものである。
【図５】第２実施形態のタンポン包装構造の斜視図である。
【図６】第３実施形態のタンポン包装構造を示す図であり、（ａ）はタンポン包装構造の斜視図、（ｂ）はタンポン包装構造２０の端部の動きを示した図、（ｃ）はタンポン包装構造２０の携帯方法を示した図である。
【発明を実施するための形態】
【００１４】
（第１実施形態）
図１は本実施形態のタンポン包装構造１の斜視図であり、タンポン包装構造１は、アプリケータ付のタンポンと、そのアプリケータ付タンポン２を収納するブリスター容器３とを備える。
【００１５】
まず、ブリスター容器３に収納されているアプリケータ付タンポン２について説明する。アプリケータ付タンポン２は、アプリケータ４と、その内部に収納されたタンポン本体（図示せず）とを備える。
【００１６】
アプリケータ４は、合成樹脂材料で形成されているものであり、図１に示すように、吸収体を収納している外筒４１と、外筒４１の後端部から外筒４１に対して摺動自在に挿入され、外筒４１内の吸収体を外筒外へ押し出す内筒４２とを有している。また、外筒の一端には吸収体が押し出される開口が形成されている。
外筒４１と内筒４２とは、内部に中空部を有する筒形状である。外筒４１当地の断面形状は、正円形である。外筒４１及び内筒４２は、ポリエチレン、ポリプロピレン等のポリオレフィン系樹脂、又は表面をポリオレフィンフィルムでラミネートした厚紙によって全体が形成されている。
そして、吸収体の他端部から延びる紐状部材５は、内筒４２内に挿通されて内筒４２の後端部から後方へ突出している。このアプリケータ付タンポン２は、アプリケータ４の外筒４１を膣腔内に挿入し、内筒４２を外筒４１の内部に押し込んで使用される。このとき、内筒４２によって外筒４１内の吸収体が外筒４１の先端側に移動される。そして、この移動された吸収体により外筒４１の先端部分が開くように変形され、吸収体は外筒４１から押し出されて膣内に挿入される。
【００１７】
タンポン本体は、吸収体と、膣内への挿入方向における前記吸収体の末端から延出する紐状部材とを有する。そしてタンポン本体は、一方の面に紐状部材５が縫い付けられたシート状の吸収体を円筒状になるよう圧縮することで形成される。吸収体は、例えば、コットンやレーヨンなどの親水性繊維を、その表面を不織布などの液透過性シートで包んだものを用いることができる。円筒状に形成された吸収体は、生理中の女性の膣腔内に挿入されると、経血等の体液を吸収し、膨張する。吸収体を膣腔内に挿入しているときには、紐状部材５を膣腔体から体外へ出しておき、この紐状部材５を引くことにより使用後の吸収体を膣内から取り出すことができる。
【００１８】
次いで、アプリケータ付タンポン２を収納するブリスター容器３について説明する。図２はアプリケータ付タンポン２が収納されたタンポン包装構造１の部分断面図である。
図１及び図２に示すように、ブリスター容器３は、２枚のシート部材の積層体である。そのシート部材のうちの第１シート部材６は、一方の側に突出した凸部８が形成され、その凸部８の内部にアプリケータ付タンポン２が収納されている。第２シート部材７は、第１シート部材６の、凸部８が突出した側と反対側面に貼着され、凸部８を密封している。
【００１９】
第１シート部材６は透明なプラスチックシートであって、凸部８は、図１に示すように一定の間隔で複数並列されている。また、その凸部８の周囲は、平坦なシート状となっている。
第２シート部材７は、硬質アルミ、軟質アルミ、紙、ポリエステル、ＰＶＣ等であって、使用者の指による押圧力によって、容易に破れることが可能な程度の強度を有するものである。
そして、ブリスター容器３は、並列する凸部８と凸部８との間に、ミシン目９が設けられている。このミシン目９に沿ってブリスター容器３を折れ曲げることによって、凸部８と凸部８との間を切り離すことが出来る。
【００２０】
図３はタンポン包装構造１の裏面を示した図である。図示するように、タンポン包装構造１の裏面、すなわちブリスター容器３の裏面には、ブリスター容器３の内部に収納されているアプリケータ付タンポン２の使用法１１、及び製造番号１２等が記載されている。
【００２１】
図４はアプリケータ付タンポン２のブリスター容器３からの取り出し方法を示したものである。図示するように、アプリケータ付タンポン２をブリスター容器３から取り出すときは、そのアプリケータ付タンポン２が収納されている凸部８の上部を指１０で押圧する。そうすると、第２シート部材７における凸部８の底部が破れ、アプリケータ付タンポン２をブリスター容器３から取り出すことができる。
【００２２】
このようにアプリケータ付タンポン２が取り出されたブリスター容器３は、図３に示すように裏面から見たときに、その取り出された箇所の第２シート部材７が破れている。したがって、仮に使用後（内部からタンポンを取り出した後）のアプリケータをブリスター容器３に戻していたとしても、未使用なアプリケータなのか使用後のアプリケータなのかを容易に判断することができる。
【００２３】
また、アプリケータ付タンポン２が収納されている凸部８は、開封前の状態において底部を第２シート部材７により密閉されている。したがって、収納部にミシン目がないので、密閉性が高まり、完全滅菌が可能で、衛生的である。また、酸素に触れないので繊維の経年劣化が抑えられる。
さらに、本実施形態によると第１シート部材６が透明のプラスチックで製造されているため、内部のアプリケータ付タンポン２が見え、挿入向きがわかる。
ブリスター容器３の裏目に使用方法が記載されているので、使用時に使用法をチェックすることができる。
ブリスター容器３の裏面に製造番号が記載されているので、ロッドを安定的に記載することができる。
また、ブリスター容器３は強度が高いので携帯性に便利である。
【００２４】
（第２実施形態）
図５は第２実施形態のタンポン包装構造１Ａの斜視図である。
第２実施形態が第１実施形態と異なる点は、内部に収納されているタンポン２Ａが、アプリケータ付ではない点である。他の部分は第１実施形態と同様であるのでその説明は省略する。第２実施形態によると、第１実施形態と同様の効果が得られる。
【００２５】
（第３実施形態）
図６は第３実施形態のタンポン包装構造２０を示す図であり、（ａ）はタンポン包装構造２０の斜視図、（ｂ）はタンポン包装構造２０の端部の動きを示した図、（ｃ）はタンポン包装構造２０の携帯方法を示した図である。
【００２６】
第３実施形態も、第２実施形態と同様に、内部に収納されているタンポン２２は、アプリケータ付ではない。さらに本実施形態のタンポン包装構造２０は、図６に示すように、販売時において１つずつ分離されている。ただし、これに限定されず、第１及び第２実施形態のように複数個連結した形で販売されて、ミシン目等で切り離し可能なものであっても良い。なお、その他の構造は第１実施形態と同様である。
【００２７】
個々のタンポン包装構造２０は、それぞれ全体として長方形状を有している。そして、第１実施形態と同様にブリスター容器２３は第１シート部材２６と第２シート部材２７との積層体である。第１シート部材２６には凸部２８が設けられている。
また、本実施形態において第１シート部材２６は、透明部材ではなく、中身が見えない不透明部材で構成されている。第２シート部材２７も不透明部材で、第１シート部材２６と凸部２８及び一方の端部２３Ａを除いて接着されている。
【００２８】
なお、不透明部材の「不透明」とは、以下の機器、条件で測定した全光線透過率が６０％以下、好ましくは４０％以下であることをいう。
測定装置及び条件
・  色彩色差計（コニカミノルタ  ＣＲ３００）
・  ＪＩＳ  Ｚ  ８７２２の拡散照明垂直受光方式に準拠。
・  測定ヘッド  Φ４０ｍｍ
・  受光素子  シリコンフォトセル  ６個
・  光源  パルスキセノンランプ
・  測定径  ８ｍｍ
・  標準偏差  ΔＥ＊ａｂ  ０．０７以内
【００２９】
第１シート部材２６の凸部２８には、タンポン２２の吸収体２２Ａが配置されている。吸収体２２Ａから延びる紐状部材２２Ｂは、ブリスター容器２３における、凸部２８の内部から、さらに第１シート部材２６と第２シート部材２７とが接着されている領域を、端部２３Ａの方向に向かって延びている。
【００３０】
ブリスター容器２３の端部２３Ａは、第１シート部材２６と第２シート部材２７とが密着していない。そして、第１シート部材２６は、折れ線ｆに沿って折れ曲がることができ、折れ曲がると図６（ｂ）に示すように、第１シート部材２６は第２シート部材２７から離間可能となっている。
紐状部材２２Ｂは、この離間領域まで延び、第１シート部材２６を折れ線ｆに沿って折れ曲げることにより、紐状部材２２Ｂは露出して掴みやすくなる。
【００３１】
ブリスター容器２３における、前述の離間領域が設けられている端部２３Ａ側と反対側の端部２３Ｂには、貫通穴２４が設けられている。
この穴２４に携帯用の紐２５を通して携帯の際の把持部とすることができる。また、携帯用の紐２５を衣服等に引っ掛けることができる。さらに、図６（ｃ）に示すように、携帯用の紐２５を水着に取り付けるように用いることもできる。
【００３２】
また、ブリスター容器２３の角部２９は、面取りがされ、丸くなっている。このため、図６（ｃ）のように水着等の衣服に携帯用の紐２５で取り付けても、本実施形態のブリスター容器２３の角部は、丸く面取りされているので、引っかかることがない。
【００３３】
本実施形態のブリスター容器２３は、第１シート部材２６及び第２シート部材２７ともに不透明部材で構成されているので、そのまま携帯しても中身がタンポンであることがわからない。さらに、外装を美しくすることで、アクセサリー感覚で持ち運ぶことができる。
【００３４】
吸収体２２Ａは、ブリスター容器２３の凸部２８に密封状態で収納されているので、ブリスター容器２３を水着に取り付けて泳いでも、内部に水が浸入することがない。タンポン自体、プールや海に行く際に使用することが多いが、このような場合であっても、交換用のタンポンを携帯することができ、便利である。
【００３５】
携帯用の紐２５を取り付ける穴と反対側の端部において第１シート部材２６と第２シート部材２７とが離間可能となっており、その部分からタンポンの紐状部材２２Ｂが引っ張ることが出来るようになっている。ゆえに、携帯用の紐２５によってブリスター容器２３を衣服に付けてぶら下げている状態で、タンポンの紐状部材２２Ｂを引っ張ることによりタンポン２２をブリスター容器２３から容易に取出すことができる。
【符号の説明】
【００３６】
１，１Ａ，２０…タンポン包装構造
２，２Ａ，２２…タンポン
３，２３…ブリスター容器
４…アプリケータ
６，２６…第１シート部材
７，２７…第２シート部材
８，２８…凸部
【図１】
2014128429.tif 000003
【図２】
2014128429.tif 000004
【図３】
2014128429.tif 000005
【図４】
2014128429.tif 000006
【図５】
2014128429.tif 000007
【図６】
2014128429.tif 000008